(57)【要約】ネットワークコンポーネント、通信端末、通信端末を接続する方法及び通信ネットワークを用いる方法。一実施形態によれば、通信端末から、登録要求及び／又はセッション確立要求並びに前記通信端末のホームネットワークの指示を受信するように構成される受信部と、前記通信端末の前記ホームネットワークに基づいて、前記通信端末に提供するための前記通信ネットワークのコアネットワークコンポーネントを決定するよう構成される決定部と、決定した前記コアネットワークコンポーネントに基づいて、前記通信ネットワークにおける前記通信端末の登録及び／又は前記通信端末のためのセッションの確立を開始するように構成される制御部と、を含む、通信ネットワークのコンポーネントが説明される。
2021508418.tif 000002
【特許請求の範囲】
【請求項１】
通信端末（１０２）から、登録要求（８０８）及び／又はＰＤＵセッション確立要求並びに前記通信端末のホームネットワークの指示を受信するように構成される受信部（１０３）と、
前記通信端末の前記ホームネットワークに基づき前記通信端末が接続する通信ネットワーク（８０５）の前記コアネットワークコンポーネントを決定するように構成される決定部（８０４）であって、
前記通信端末がローミング端末かどうかを判断し、前記通信端末がローミング端末かどうかに基づいて、前記通信端末に提供するコアネットワークコンポーネントを決定することを含む、決定部（８０４）と、
決定した前記コアネットワークコンポーネントに基づいて、前記通信ネットワークにおける前記通信端末の登録及び／又は前記通信端末のためのセッションの確立を開始するように構成される制御部（８０４）と、を具備し、
前記決定部（８０４）は、前記コアネットワークコンポーネントとして、前記通信ネットワークの複数のコアネットワークスライスによって共有されるコアネットワークコンポーネントを決定するようにさらに構成され、前記コアネットワークコンポーネントは、ローミング通信端末が接続するために専用であることを特徴とする、通信ネットワークのネットワークコンポーネント。
【請求項２】
前記通信端末の前記ホームネットワークに基づいて前記通信端末が接続するコアネットワークコンポーネントを決定することは、前記通信ネットワークのコアネットワークのコアネットワークスライスを決定することを含む、請求項１に記載のネットワークコンポーネント。
【請求項３】
前記決定部は、前記コアネットワークコンポーネントとして、決定した前記コアネットワークスライスのコアネットワークコンポーネントを決定するように構成される、請求項２に記載のネットワークコンポーネント。
【請求項４】
決定した前記コアネットワークコンポーネントに基づいて、前記通信ネットワークにおける前記通信端末の登録及び／又は前記通信端末のためのセッションの確立を開始することは、決定した前記コアネットワークコンポーネントに登録要求及び／又はセッション確立要求を転送することを含む、請求項１から請求項３のいずれか一項に記載のネットワークコンポーネント。
【請求項５】
前記コアネットワークコンポーネントは、アクセス及びモビリティ管理部、セッション管理部又はユーザプレーン部である、請求項１から請求項４のいずれか一項に記載のネットワークコンポーネント。
【請求項６】
無線アクセスネットワークコンポーネント又は前記通信ネットワークのコアネットワークコンポーネントである、請求項１から請求項５のいずれか一項に記載のネットワークコンポーネント。
【請求項７】
前記決定部は、前記通信端末のホームネットワークの通信端末が接続する専用のコアネットワークスライスのコアネットワークコンポーネントを、前記コアネットワークコンポーネントとして決定するように構成される、請求項１から請求項６のいずれか一項に記載のネットワークコンポーネント。
【請求項８】
前記通信端末に提供するコアネットワークスライスの指示を含む、登録要求及び／又はセッション確立要求を前記通信端末に送信するように構成される送信部を具備し、決定した前記コアネットワークコンポーネントは、前記コアネットワークスライスに属することを特徴とする、請求項１から請求項７のいずれか一項に記載のネットワークコンポーネント。
【請求項９】
前記受信部は、前記通信端末が属する企業の指示を受信するようにさらに構成され、前記決定部は、前記通信端末が属する前記企業に基づいて、決定した前記コアネットワークコンポーネントを決定するように構成される、請求項１から請求項８のいずれか一項に記載のネットワークコンポーネント。
【請求項１０】
前記決定部は、前記通信端末の前記ホームネットワーク及び前記通信端末に示される１以上の他のパラメータに基づいて、前記通信端末が接続するための前記通信ネットワークの前記コアネットワークコンポーネントを決定するように構成される、請求項１から請求項９のいずれか一項に記載のネットワークコンポーネント。
【請求項１１】
通信端末から、登録要求及び／又はセッション確立要求並びに前記通信端末のホームネットワークの指示を受信する工程と、
前記通信端末の前記ホームネットワークに基づいて、前記通信端末が接続するための前記通信ネットワークのコアネットワークコンポーネントを決定する工程と、
決定した前記コアネットワークコンポーネントに基づいて、前記通信ネットワークにおける前記通信端末の登録を開始する工程と、
決定した前記コアネットワークコンポーネントに基づいて、前記通信ネットワークにおける前記通信端末のためのセッションの確立を開始する工程と、を具備し、
前記通信端末の前記ホームネットワークに基づいて前記通信端末が接続するためのコアネットワークコンポーネントを決定することは、前記通信端末がローミング端末かどうかを決定し、前記通信端末がローミング端末であるかに基づいて、前記通信端末が接続するための前記コアネットワークコンポーネントを決定することを含み、
前記通信ネットワークのコアネットワークスライスによって共有されるコアネットワークコンポーネントを決定する工程をさらに具備し、前記コアネットワークコンポーネントは、ローミング通信端末が接続するために専用であることを特徴とする、通信ネットワークによる通信端末を接続するための方法。
【発明の詳細な説明】
【技術分野】
【０００１】
本開示は、ネットワークコンポーネント、通信端末、通信端末を接続する方法及び通信ネットワークを使用する方法に関する。
【背景技術】
【０００２】
５Ｇに準拠する移動無線通信ネットワークのコアネットワークは、一般的に、複数のコアネットワークスライスを含み、各コアネットワークスライスは、特定の通信サービス、例えば、Ｖｅｈｉｃｌｅ−ｔｏ−Ｅｖｅｒｙｔｈｉｎｇ（Ｖ２Ｘ）又はｅｎｈａｎｃｅｄ  Ｍｏｂｉｌｅ  Ｂｒｏａｄｂａｎｄ（ｅＭＢＢ）を提供する役割を果たす。様々な実施形態において、ローミング移動端末（インバウンドローマー端末とも呼ばれる）、すなわち、現在の通信ネットワークがホームネットワークではない移動端末は、非ローミング移動端末とは別の専用のコアネットワークスライスに接続されることが望ましい場合がある。例えば、ローミング移動端末は、１以上の専用のコアネットワークスライスによって接続されることが望ましい場合がある。したがって、ローミング移動端末を特定のネットワークスライスに割り当てることを可能にするアプローチが望ましい。
【発明の概要】
【０００３】
一実施形態によれば、通信ネットワークのコンポーネントは、通信端末から、登録要求及び／又はセッション確立要求、並びに通信端末のホームネットワークの指示を受信する受信部と、通信端末のホームネットワークに基づいて、通信端末を接続する通信ネットワークのコアネットワークコンポーネントを決定する決定部と、決定したコアネットワークコンポーネントに基づいて、通信ネットワークにおける通信端末の登録及び／又は通信端末のセッションの確立を開始する制御部と、を含むよう提供される。
【０００４】
さらなる実施形態によれば、通信端末は、通信端末のホームネットワークの識別を決定する決定部と、接続先通信ネットワークに、通信端末のホームネットワークの指示とともに、登録要求及び／又はセッション確立要求を送信する送信部と、を含むよう提供される。
【０００５】
さらなる実施形態によれば、上述のネットワークコンポーネント及び通信端末による、通信端末を接続する方法及び通信ネットワークを使用する方法が提供される。
【図面の簡単な説明】
【０００６】
図面において、同様の参照文字は、一般に、異なる図を通して同じ部分を指す。図面は必ずしも縮尺通りではなく、一般に、本発明の原理を示すことに重点が置かれている。以下の説明では、以下の図面を参照してさまざまな態様を説明する。
【０００７】
【図１】無線通信システムを示す。
【図２】ユーザのホームネットワーク及びユーザ用の接続先ネットワークを示す。
【図３】ローミングユーザ用のネットワークスライスを有する通信ネットワークを示す。
【図４】異なる企業のローミングユーザ用のネットワークスライスを有する通信ネットワークを示す。
【図５】単一のネットワークスライス選択補助情報を示す。
【図６】ネットワークスライスの関連について無線アクセスネットワークに通知するためのメッセージフロー図を示す。
【図７】ネットワークスライスの関連について検出部に通知するためのメッセージフロー図を示す。
【図８】接続先ネットワークにおけるＵＥの登録手順及びプロトコルデータユニット（ＰＤＵ）セッション確立手順を示すメッセージフロー図を示す。
【図９】通信ネットワークのネットワークコンポーネントを示す。
【図１０】通信ネットワークによる通信端末を接続する方法を示すフロー図を示す。
【図１１】通信端末を示す。
【図１２】通信ネットワークを使用する方法を示すフロー図を示す。
【発明を実施するための形態】
【０００８】
以下の詳細な説明は、本発明を実施することができる本開示の特定の詳細および態様を例示として示す添付の図面を参照している。本発明の範囲から逸脱することなく、他の態様を利用することができ、構造的、論理的、および電気的な変更を行うことができる。本開示のいくつかの態様は、本開示の１つまたは複数の他の態様と組み合わせて新しい態様を形成することができるため、本開示の様々な態様は必ずしも相互排他的ではない。
【０００９】
図１は、無線通信システム１００を示す。
無線通信システム１００は、ＵＥ（ユーザ装置）、ナノ装置（ＮＥ）などの移動無線端末装置１０２を含む。加入者端末とも呼ばれる移動無線端末装置１０２は、端末側を形成し、以下に説明する無線通信システム１００の他のコンポーネントは、移動無線通信ネットワーク側、すなわち移動無線通信ネットワーク（例えば、Ｐｕｂｌｉｃ  Ｌａｎｄ  Ｍｏｂｉｌｅ  Ｎｅｔｗｏｒｋ（ＰＬＭＮ））の一部である。
【００１０】
また、無線通信システム１００は、複数の無線アクセスネットワークノード、すなわち５Ｇ（第５世代）無線アクセス技術（５Ｇ  Ｎｅｗ  Ｒａｄｉｏ）に従って無線アクセスを提供するように構成される基地局を含む、無線アクセスネットワーク１０３を含む。無線通信システム１００はまた、ＬＴＥ（ロングタームエボリューション）又はＷｉ−Ｆｉ（無線ワイヤレスローカルエリアネットワーキング）又は別の移動無線通信規格に従って構成されてもよいが、ここでは例として５Ｇが使用される。各無線アクセスネットワークノードは、エアインターフェースを介して移動無線端末装置１０２との無線通信を提供してもよい。無線アクセスネットワーク１０３は、任意の数の無線アクセスネットワークノードを含んでもよい。
【００１１】
無線通信システム１００は、ＲＡＮ１０３に接続されたアクセスおよびモビリティ管理部（ＡＭＦ）１０１、統合データ管理（ＵＤＭ）１０４及びネットワークスライス選択部（ＮＳＳＦ）１０５を含むコアネットワークをさらに含む。以下の例では、ＵＤＭは、実際のＵＥの加入データベースで構成されている場合がある。これは、例えばＵｎｉｆｉｅｄ  Ｄａｔａ  Ｒｅｐｏｓｉｔｏｒｙ（ＵＤＲ）として知られている。コアネットワークはさらに、認証サーバ部（ＡＵＳＦ）１１４及びポリシー制御部（ＰＣＦ）１１５を含む。
【００１２】
コアネットワークは、複数の（コア）ネットワークスライス１０６、１０７を有してもよく、各ネットワークスライス１０６、１０７について、オペレータは複数のネットワークスライスインスタンス（ＮＳＩ）１０８、１０９を作成してもよい。この例では、コアネットワークは、Ｅｎｈａｎｃｅｄ  Ｍｏｂｉｌｅ  Ｂｒｏａｄｂａｎｄ（ｅＭＢＢ）を提供する３つのコアネットワークスライスインスタンス（ＣＮＩ）１０８を有する第１のコアネットワークスライス１０６と、Ｖｅｈｉｃｌｅ−ｔｏ−Ｅｖｅｒｙｔｈｉｎｇ（Ｖ２Ｘ）を提供する３つのコアネットワークスライスインスタンス（ＣＮＩ）１０９を有する第２のコアネットワークスライス１０７を含む。
【００１３】
通常、ネットワークスライスが展開される場合、ネットワーク部（ＮＦ）がインスタンス化されるか、（既にインスタンス化されている場合）ネットワークスライスインスタンス（ＮＳＩ）を形成するために参照され、ネットワークスライスインスタンスに属するネットワーク部は、ネットワークスライスインスタンス識別で構成される。
【００１４】
具体的には、この例では、第１のコアネットワークスライス１０６の各インスタンス１０８は、第１のセッション管理部（ＳＭＦ）１１０及び第１のユーザプレーン部（ＵＰＦ）１１１を含み、第２のコアネットワークスライス１０７の各インスタンス１０９は、第２のセッション管理部（ＳＭＦ）１１２及び第２のユーザプレーン部（ＵＰＦ）１１３を含む。
【００１５】
移動端末１０２のユーザは、通常、特定の通信ネットワークの加入、すなわち、通信ネットワークのオペレータとの契約（例えば、通信システム１００のネットワーク側、すなわち、ＵＥ１０２なしの通信システム１００に対応する）を有する。当該通信ネットワークは、ホームネットワーク、例えば、Ｈｏｍｅ  Ｐｕｂｌｉｃ  Ｌａｎｄ  Ｍｏｂｉｌｅ  Ｎｅｔｗｏｒｋ（ＨＰＬＭＮ）である。ホームネットワークのカバレッジエリア外にいる場合、ユーザは異なるオペレータの通信ネットワークを使用してもよい。例えば、ユーザが本国とは異なる国にいる場合、ユーザの接続先ネットワークとして機能する。または、国内では、別のＰＬＭＮに接続してから、次に加入したＰＬＭＮに接続する。
【００１６】
図２は、ユーザのホームネットワーク２０１及びユーザ用の接続先ネットワーク２０２を示す。
ホームネットワーク２０１は第１のオペレータＯＰ＃１により運営され、接続先ネットワークは第２のオペレータＯＰ＃２により運営される。
【００１７】
ホームネットワークは、ＲＡＮ２０３及び複数のネットワークスライスを含み、第１のネットワークスライス２０４、第２のネットワークスライス２０５及びＮ番目のネットワークスライス２０６が示されている。第１のネットワークスライス２０４及び第２のネットワークスライス２０５は、ＡＭＦ２０７を共有し、それぞれがＳＭＦ＆ＵＰＦ２０８、２０９（すなわち、簡略化のためにここでは組み合わせられたＳＭＦ及びＵＰＦ）を含む。Ｎ番目のネットワークスライス２０６は、ＡＭＦ２１０及びＳＭＦ＆ＵＰＦ２１１を含む。
【００１８】
接続先ネットワークは、ＲＡＮ２１２及び複数のネットワークスライスを含み、第１のネットワークスライス２１３、第２のネットワークスライス２１４及び第３のネットワークスライス２１５が示されている。第１のネットワークスライス２１３及び第２のネットワークスライス２１４（非ローミングＵＥが接続するネットワークスライスのセットにグループ化される）は、ＡＭＦ２１６を共有し、それぞれがＳＭＦ＆ＵＰＦ２１７、２１８を含むことができる。第３のネットワークスライス２１５は、ＡＭＦ２１９及びＳＭＦ＆ＵＰＦ２２０を含む。
【００１９】
オペレータＯＰ＃１及びＯＰ＃２は、ＯＰ＃２が接続先ＯＰ＃２ネットワークに移動し、コアネットワークアクセスを希望する場合、ＯＰ＃２がオペレータ＃１の全てのＵＥに接続する専用スライスを作成するという相互合意を持っている場合がある。図示された例では、ＯＰ＃１に加入している（及び移動端末２２１をＯＰ＃１の加入者として識別する加入者識別モジュール（ＳＩＭ）を備えている）ユーザの移動端末２２１は、第３のネットワークスライス２１５によって接続される。これは、第３のネットワークスライス２１５がＯＰ＃１のローマー（ローミング端末又はローミングユーザ）専用であるためである。ＯＰ＃２に加入しているユーザの移動端末２２２は、ＯＰ＃２の加入者が接続するために使用されるため、ＯＰ＃２のネットワークの第１のネットワークスライス２１３及び第２のネットワークスライス２１４によって代わりに接続される。
【００２０】
言い換えれば、ＯＰ＃２には、ローミングＵＥ（インバウンドローマーＵＥとも呼ばれる）と非ローミングＵＥの間のスライス分離がある。
【００２１】
スライス分離の別の例は、ＯＰ＃２がホームトラフィックと接続先トラフィックを混在させたくない場合である。この場合、ＯＰ＃２はインバウンドローマー専用のスライス（図２の例では第３のスライス２１５）を作成してもよい。例えば、ＯＰ＃２は、ＯＰ＃２のホームＵＥには接続されない専用サービス（例えば、観光情報や広告など）を第３のスライス２１５で接続する。この場合、全てのインバウンドローミング端末は第３のスライス２１５に接続される。
【００２２】
オペレータは、また、図３に示すように、特定のｓｅｒｖｉｃｅ  ｌｅｖｅｌ  ａｇｒｅｅｍｅｎｔ（ＳＬＡ）要件を有するローミングパートナーごとに専用のスライスを作成してもよい。
【００２３】
図３は、オペレータＯＰ＃２の通信ネットワーク３００を示す。
通信ネットワーク３００は、ホームＵＥ用のスライス３０１、すなわち、ＯＰ＃２に加入しているユーザ用のホームスライスを含む。ホームスライス３０１は、ＳＭＦ＆ＵＰＦ３０２及び共有ＡＭＦ３０３を含む。また、通信ネットワーク３００は、共有ＡＭＦ３０７を有し、それぞれがＳＭＦ＆ＵＰＦ３０８を有する専用スライス３０４、３０５、３０６を有する。
【００２４】
ＵＥ３０９、３１０、３１１、３１２は、ＲＡＮ３１３を介してスライス３０１、３０４、３０５、３０６を含むコアネットワークにアクセスしてもよい。
【００２５】
ＯＰ＃２に加入しているＵＥ３０９は、ホームスライス３０１の１つによって接続される。ＯＰ＃１に加入しているＵＥ３１０は、第１の専用スライス３０４によって接続される。ＯＰ＃３に加入しているＵＥ３１１は、第２の専用スライス３０５によって接続される。ＯＰ＃４に加入しているＵＥ３１２は、第２の専用スライス３０６によって接続される。
【００２６】
これは、他のオペレータ（すなわち、ＯＰ＃１、ＯＰ＃３、ＯＰ＃４）からのローミングＵＥ３１０、３１１、３１２がネットワーク３００に接続する場合、ネットワーク３００は、ＵＥ３１０、３１１、３１２をそれぞれのローミングパートナー専用のスライス３０４、３０５、３０６に発送することを意味する。
【００２７】
オペレータ（例えば、ＯＰ＃１）は、図４に示すように、企業パートナー専用の異なるスライスを有してもよく、ローミングシナリオ（例えば、ＯＰ＃２のネットワーク）で同じＳＬＡを提供することを企業に保証してもよい。このため、オペレータＯＰ＃１は、企業パートナーと別のオペレータ（例えば、ＯＰ＃２）とのローミング契約を結んでもよい。
【００２８】
図４は、オペレータＯＰ＃２の通信ネットワーク４００を示す。
通信ネットワーク４００は、ＲＡＮ４０１、ホームスライス（図示せず）及びＡＭＦ４０５を共有し、それぞれがＳＭＦ＆ＵＰＦ４０６を有する専用スライス４０２、４０３、４０４を含む。専用スライスは、ＯＰ＃１の加入者及び異なる企業（企業＃１、企業＃２、企業＃３）専用である。
【００２９】
ＯＰ＃１に加入しており、企業＃１に属するＵＥ３０７は、第１の専用スライス４０２によって接続される。ＯＰ＃１に加入しており、企業＃２に属するＵＥ３０８は、第２の専用スライス４０３によって接続される。ＯＰ＃１に加入しており、企業＃３に属するＵＥ４０９は、第３の専用スライス４０４により接続される。
【００３０】
例えば、ＯＰ＃１は企業（企業＃１、企業＃２、企業＃３）とＳＬＡ契約を有しており、企業ごとに専用のスライスを作成してもよい。ＯＰ＃１は、いずれかの企業のＵＥが他のオペレータの１つのネットワークに移動し、このＵＥがＯＰ＃１ネットワークと同じＳＬＡを取得する場合に、世界中の他のオペレータ（例えば、ＯＰ＃２）と契約を有してもよい。このため、他のオペレータ、この例ではＯＰ＃２は、企業専用のスライス４０２、４０３、４０４を作成する。いずれかの企業のＵＥがＯＰ＃２のネットワークに接続すると、ＯＰ＃２のネットワークはＵＥをそれぞれの専用スライス４０２、４０３、４０４に移動する。
【００３１】
ネットワークスライスは、Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ（Ｓ−ＮＳＳＡＩ）により識別される。
【００３２】
図５は、Ｓ−ＮＳＳＡＩ５００を示す。
Ｓ−ＮＳＳＡＩ５００は、以下を含む。
−  機能とサービスの観点から想定されるネットワークスライスの動作を指す、スライス／サービスタイプ（ＳＳＴ）５０１、及び
−  同じスライス／サービスタイプの複数のネットワークスライス間で区別するために、スライス／サービスタイプを補完するオプションの情報である、スライス微分器（ＳＤ）５０２。
ＮＳＳＡＩは、１以上のＳ−ＮＳＳＡＩを含んでもよい。
【００３３】
許可されるＮＳＳＡＩは、例えば、現在の登録エリアのサービング（Ｐｕｂｌｉｃ  Ｌａｎｄ  Ｍｏｂｉｌｅ  Ｎｅｔｗｏｒｋ）ＰＬＭＮ内のＵＥ用のネットワークで許可されている（１以上の）Ｓ−ＮＳＳＡＩ値を示す登録手順の間にサービングＰＬＭＮによって提供されるＮＳＳＡＩである。
【００３４】
設定されたＮＳＳＡＩは、ＵＥで規定されたＮＳＳＡＩであり、１以上のＰＬＭＮに適用されてもよい。
【００３５】
ＳＳＴは、例えば、ｅｎｈａｎｃｅｄ  Ｍｏｂｉｌｅ  Ｂｒｏａｄｂａｎｄ（ｅＭＢＢ）、Ｃｅｌｌｕｌａｒ  Ｉｎｔｅｒｎｅｔ  ｏｆ  Ｔｈｉｎｇｓ（ＣＩｏＴ）などであり、ＳＤは、例えば、企業＃１、企業＃２などであり得る。
【００３６】
ローミングの場合、ＵＥは、接続先ＵＥ用の正しいスライスを選択するために、ＵＥによって提供される接続先ＰＬＭＮ  Ｓ−ＮＳＳＡＩ値で構成されてもよい。したがって、例えば、ＵＥは、ＲＡＮ２０３及びＡＭＦ２０７を介してＳＭＦ＆ＵＰＦ２０８に発送されてもよい。
【００３７】
５Ｇ  ＲＡＮのＡＭＦ選択機能は、ＡＭＦセットを選択するために次の要因を考慮する場合があることに注意すべきである。
・Ｇｌｏｂａｌ  Ｕｎｉｑｕｅ  ＡＭＦ  Ｉｄｅｎｔｉｆｉｅｒ（ＧＵＡＭＩ）から派生したＡＭＦ領域ＩＤ及びＡＭＦセットＩＤ。
・要求されたＮＳＳＡＩ。
・ローカルオペレータポリシー。
５Ｇ  ＲＡＮ又はコントロールプレーン（ＣＰ）ネットワーク部（ＮＦ）のＡＭＦ選択機能では、一般的に、ＡＭＦセットからＡＭＦを選択するために次の要因を考慮する。
・ＡＭＦ候補の可用性。
・候補ＡＭＦ全体の負荷バランス（例えば、ＡＭＦセット内の候補ＡＭＦの重み係数の検討）。
【００３８】
ＳＭＦの選択時には次の要因が考慮されてもよい。
・選択されるデータネットワーク名（ＤＮＮ）、Ｓ−ＮＳＳＡＩ、ネットワークスライスインスタンス（ＮＳＩ）−ＩＤ。
・ＵＤＭからの加入情報、例えば、
−  ＤＮＮ（データネットワーク名）毎：ＬＢＯローミングが許可されるかどうか。
−  Ｓ−ＮＳＳＡＩ毎：加入したＤＮＮ。
−  （Ｓ−ＮＳＳＡＩ、加入したＤＮＮ）毎：Ｌｏｃａｌ  Ｂｒｅａｋｏｕｔ（ＬＢＯ）ローミングが許可されるかどうか。
・（Ｓ−ＮＳＳＡＩ、加入したＤＮＮ）毎：Ｅｖｏｌｖｅｄ  Ｐａｃｋｅｔ  Ｃｏｒｅ（ＥＰＣ）インターワーキングがサポートされるかどうか。
・ローカルオペレータポリシー。
・候補ＳＭＦの負荷状態。
・ＵＥに使用されるアクセステクノロジ。
【００３９】
ＮＧ−ＲＡＮ（すなわち、５Ｇ  ＲＡＮ）は、複数のオペレータ間で共有されてもよい、すなわち、Ｎ２／Ｎ３インタフェースにより異なるオペレータのコアネットワークへのアクセスを提供してもよい。このため、ＮＧ−ＲＡＮは、（さまざまなコアネットワークの）利用可能なＰＬＭＮ−ＩＤをカバレッジエリア内のＵＥにブロードキャストしてもよい。ＵＥは、ブロードキャストシステム情報を復号し、利用可能なＰＬＭＮ  ＩＤに関する情報を、ＰＬＭＮおよびセル（再）選択手順で考慮してもよい。ＵＥは、ＮＧ−ＲＡＮを正しく発送できるように、選択されるＰＬＭＮをＮＧ−ＲＡＮに通知してもよい。ＮＧ−ＲＡＮは、選択されるＰＬＭＮをコアネットワークに通知する。
【００４０】
様々な実施形態によれば、接続先ネットワークが正しいネットワークスライス（例えば、ローミングＵＥの専用スライス）を選択できるようにするため、ＵＥは、所属するローミングパートナー（すなわち、加入者であるネットワーク又はオペレータ）の識別を提供する。
【００４１】
図２におけるＯＰ＃２によって運営される接続先ネットワーク２０２の例では、ＯＰ＃１の加入者である（すなわち、ホームネットワーク２０１に属する）ＵＥ２２１は、ホームネットワーク２０１の識別を提供する。
【００４２】
これは、ローミングパートナー（ＯＰ＃１）がローミングパートナーＵＥ（すなわち、ＯＰ＃１の加入者）専用の孤立したスライス（例えば、専用のＡＭＦ２１９、ＳＭＦ＆ＵＰＦ２２０を含む第３のスライス２１５）を有するシナリオでは、例えば、接続先ネットワーク２０２への初期登録中に、ローミングパートナーＵＥ２２１が接続することを意味する。例えば、ＲＡＮ２１２への以下の値である：
−  要求されるＮＳＳＡＩ。
−  ローミングパートナーを識別するための識別子（この場合はＯＰ＃１、例えば、ＵＥのホームネットワーク２０１のＰＬＭＮ  ＩＤ又はＳｕｂｓｃｒｉｐｔｉｏｎ  Ｃｏｎｃｅａｌｅｄ  Ｉｄｅｎｔｉｆｉｅｒ（ＳＵＣＩ）からのホームネットワーク識別子）。
【００４３】
ＲＡＮは、ローミングパートナーを識別するための識別子（例えば、ＵＥのホームネットワーク２０１のＰＬＭＮ  ＩＤ、Ｓｕｂｓｃｒｉｐｔｉｏｎ  Ｃｏｎｃｅａｌｅｄ  Ｉｄｅｎｔｉｆｉｅｒ（ＳＵＣＩ）からのホームネットワーク識別子、又は、要求されるＮＳＳＡＩとローミングパートナーを識別するための識別子との組み合わせ）を用いて専用スライスのＡＭＦを選択する。何らかの理由で、ＲＡＮが特定のＡＭＦ３０７専用／スライスを選択できない場合、ＲＡＮはデフォルトのＡＭＦを選択し、デフォルトのＡＭＦはローミングパートナー識別子を用いて専用のＡＭＦ３０７を選択する。デフォルトのＡＭＦは、ＮＲＦ及び／又はローミングパートナー識別子を用いてＮＳＳＦを介して専用ＡＭＦ３０７を選択できる。
【００４４】
図３に示すように、異なるローミングパートナー（ＯＰ＃１、ＯＰ＃３、ＯＰ＃４）専用ネットワークスライス３０４、３０５、３０５間で共有されるＡＭＦ３０７の場合、専用ネットワークスライス３０４、３０５、３０５のそれぞれに専用のＳＭＦ＆ＵＰＦ３０８がある。共有ＡＭＦ３０７は、ローミングパートナーを識別するための識別子（例えば、ＵＥのホームネットワークのＰＬＭＮ  ＩＤ又はＳＵＣＩからのホームネットワーク識別子）、又は要求されるＮＳＳＡＩとローミングパートナーを識別するための識別子との組み合わせを用いて、ローミングＵＥ３１０、３１１、３１２のＳＭＦを選択してもよい。ＳＭＦを選択するために、ＡＭＦ３０７は、ローミングパートナーを識別するための識別子を用いて、ＮＲＦで検出を実行してもよい。
【００４５】
ローミングパートナーを識別するための複数の方法がある。第１のオプションとして、上述のように、ローミングＵＥ２２１、３１０、３１１、３１２は、例えば、ＲＲＣで（すなわち、無線リソース制御レイヤ上で）ホームネットワークのＰＬＭＮ  ＩＤをＲＡＮ２１２、３１３に提供してもよい。
【００４６】
第２のオプションは、ローミングＵＥ２２１、３１０、３１１、３１２がローミングパートナーの識別（すなわち、ホームネットワーク又はホームネットワークオペレータの識別）のために、接続先ネットワーク２０２、３００と通信する、ＮＳＳＡＩのＳＤフィールド５０２のいくつかのビットを専用にすることである。例えば、ＳＤ５０２内の開始の最初の４ビットは、ＵＥ２２１、３１０、３１１、３１２が属するローミングパートナーを識別するために専用であってもよい。この場合、ＵＥは必ずしもＰＬＭＮ  ＩＤを提供する必要はない。
【００４７】
第３のオプションとして、追加の（すなわち、新しい）パラメータの形式での識別が導入されてもよい。
【００４８】
第４のオプションとして、Ｓｕｂｓｃｒｉｐｔｉｏｎ  Ｃｏｎｃｅａｌｅｄ  Ｉｄｅｎｔｉｆｉｅｒ（ＳＵＣＩ）からのホームネットワーク識別子が用いられてもよい。
【００４９】
図４の例のように、異なる企業に専用のネットワークスライス４０２、４０３、４０４の場合、ローミングＵＥ４０７、４０８、４０９は、ＲＲＣにおけるＳ−ＮＳＳＡＩ及びＰＬＭＮ  ＩＤをＲＡＮ４０１に提供し、ＲＡＮ４０１は、Ｓ−ＮＳＳＡＩとＰＬＭＮ  ＩＤとの組み合わせに基づいて、ＡＭＦ４０５を選択してもよい。
【００５０】
代替案として、ＵＥ４０７、４０８、４０９は、ＲＲＣにおけるＳ−ＮＳＳＡＩをＲＡＮ４０１に提供し、ここで、ＳＤフィールド５０２は、ＵＥが属するローミングパートナーの識別を伝える。この場合、ＰＬＭＮ  ＩＤがＲＲＣレイヤで伝えられる必要はない。
【００５１】
例えば、ＯＰ＃１は企業＃１にＳＤ＃１をマップする。
一実施形態によれば、企業＃１に属するＵＥ４０７は、ＲＲＣにおけるＯＰ＃１のネットワークのＳ−ＮＳＳＡＩ（ＳＳＴ及びＳＤ＃１）及びＰＬＭＮ  ＩＤを（ＯＰ＃２の）ＲＡＮ４０１に提供する。Ｓ−ＮＳＳＡＩとＰＬＭＮ  ＩＤとの組み合わせに基づいて、ＲＡＮ（４０１）はＯＰ＃１専用のＡＭＦ４０５を選択する。何らかの理由で、ＲＡＮが専用のＡＭＦ４０５を選択できない場合、ＲＡＮはデフォルトのＡＭＦを選択し、デフォルトのＡＭＦはローミングパートナー識別を用いて専用のＡＭＦ４０５（オプションでＮＳＳＦ及び／又はＮＲＦを介して）を選択する。
【００５２】
代替案によれば、ＵＥ４０７は、ＲＲＣにおけるＳ−ＮＳＳＡＩ（ＳＳＴ及びＳＤ＃１）をＲＡＮ４０１に提供する。ここで、ＳＤフィールド５０２の最初の４ビットは、ホームネットワーク（又はホームネットワークオペレータＯＰ＃１）を識別し、残りのビットは企業＃１を識別する。この組み合わせに基づいて、ＲＡＮ４０１はＯＰ＃１専用のＡＭＦ４０５を選択する。
【００５３】
図６は、（ノードレベルでの）スライスの関連について、ＲＡＮ６０１に通知するためのメッセージフロー図６００を示す。
６０３では、例えば、ＡＭＦ２１９又はＡＭＦ３０７に対応するＡＭＦ６０２が、例えば、ＲＡＮ２１２またはＲＡＮ３１３に対応するＲＡＮ６０１に、Ｎ２構成中にＡＭＦ能力情報を送信する。
【００５４】
ＡＭＦ能力情報には以下が含まれる。
・サポートされているＳ−ＮＳＳＡＩの表示。一実施形態によれば、上述のように、ＳＤフィールド５０２は、属するローミングパートナーを識別するためにＵＥにより用いられる。
・ＡＭＦ６０２のＡＭＦ識別子。
・ＵＥのＡＭＦ６０２が提供する１以上のローミングパートナーの識別（例えば、ＡＭＦ２１９は、ＡＭＦ能力情報においてＯＰ＃１のネットワーク２０１のＳＵＣＩからのＰＬＭＮ  ＩＤ及び／又はホームネットワーク識別子を含む）。
６０４では、ＲＡＮ６０１は、６０３のＡＭＦ要求をＡＭＦ６０２に確認する。
【００５５】
図７は、（ノードレベルでの）スライス関連について、検出部（例えば、ネットワークリポジトリ部）７０２に通知するためのメッセージフロー図７００を示す。
７０３では、例えば、ＳＭＦ＆ＵＰＦ２２０又はＳＭＦ＆ＵＰＦ３０８の１つに対応するＳＭＦ７０２は、サービス登録中に、ＮＲＦ能力情報を検出部７０２に送信する。検出部は、例えば、接続先ネットワーク２０２又は３００に属する。
【００５６】
ＳＭＦ又はＵＰＦ能力情報には以下が含まれる。
・サポートされるＳ−ＮＳＳＡＩの表示。一実施形態によれば、上述のように、ＳＤフィールド５０２は、属するローミングパートナーを識別するために、ＵＥによって用いられる。
・ＳＭＦ７０１のＮＦタイプ、ＮＦ  ＩＤ及びＮＦサービス。
・ＵＥのＳＭＦ７０１が提供する１以上のローミングパートナーの識別（例えば、ＳＭＦ又はＵＰＦ２２０は、ＮＲＦ能力情報にＯＰ＃１のネットワーク２０１のＳＵＣＩからのＰＬＭＮ  ＩＤ及び／又はホームネットワーク識別子を含む）。
７０４では、検出部７０２は、ＳＭＦ７０１に７０３のＳＭＦ要求を確認する。
【００５７】
７０３及び７０４と同様に、ＡＭＦはまた、検出部にサービス登録、ＮＲＦ能力情報の提供を実行する。例えば、ＡＭＦ能力情報は、ＵＥのＡＭＦが提供する１以上のローミングパートナーの識別を含む（例えば、ＡＭＦは、ＮＲＦ能力情報にＯＰ＃１のネットワーク２０１のＳＵＣＩからのＰＬＭＮ  ＩＤ及び／又はホームネットワーク識別子を含む）。
【００５８】
図８は、接続先ネットワークにおけるＵＥ８０３の登録手順（第１のサブ図８０１）及びＰＤＵセッション確立手順（第２のサブ図８０２）を示すメッセージフロー図８００を示す。
メッセージフローは、ＵＥ８０３と、接続先ネットワーク（すなわち、ＵＥ８０３がローミングする通信ネットワーク）のＲＡＮ８０４、ＡＭＦ８０５、ＮＲＦ８０６及びＳＭＦ８０７との間で発生する。
【００５９】
８０８では、ＵＥ８０３は、ＲＡＮ８０４に登録要求を送信する。登録要求は、要求されるＮＳＳＡＩと、一実施形態によれば、ＵＥのホームネットワークの識別（例えば、ＳＵＣＩからのホームネットワークのＰＬＭＮ  ＩＤ又はホームネットワーク識別子）と、を含む。
【００６０】
８０９では、ＲＡＮ８０４のそれぞれのノード、例えば、登録要求を受信するＲＡＮ８０４の基地局は、登録要求に含まれた、実施形態における要求されるＮＳＳＡＩとＵＥのホームネットワークの識別との組み合わせに基づいて、ＡＭＦを選択する。ＵＥが登録要求に要求されるＮＳＳＡＩとＵＥのホームネットワークの識別とを含まない実施形態では、ＵＥ８０３はＮＳＳＡＩにおけるＳＤを選択することによりホームネットワークを識別し、ＲＡＮ８０４はＳＤによるＵＥのホームネットワークの識別に基づいて、ＡＭＦを選択する。
【００６１】
８１０では、ＲＡＮ８０４は、（選択した）ＡＭＦ８０５に登録要求を転送する。次に、ＡＭＦ８０５は、ＵＥ８０３の登録を実行し、８１１で、ＵＥ８０３に許可されるＮＳＳＡＩを含む登録応答を送信する。ＲＡＮが異なる（例えば、デフォルト）ＡＭＦを選択し、その後専用／スライス固有のＡＭＦを選択した場合、この異なる（デフォルト）ＡＭＦは、ＮＲＦ又はＮＳＳＦを介して特定のスライスのＡＭＦ選択を実行する。ＮＲＦによる検出とＮＳＳＦによる選択の後、デフォルトのＡＭＦは選択される専用ＡＭＦに要求を転送する。
【００６２】
ＰＤＵ（プロトコルデータユニット）セッション確立の場合、８１２におけるＵＥ８０３は、ＡＭＦ８０５に、Ｓ−ＮＳＳＡＩおよびＤＮＮを含むＰＤＵセッション確立要求を送信する。
【００６３】
８１３では、ＡＭＦ８０５は、ＮＲＦ８０６にターゲットＮＦ／サービス名、Ｓ−ＮＳＳＡＩ、ＤＮＮ及びＵＥのホームネットワークの識別（例えば、ＳＵＣＩからのＵＥのホームネットワークＰＬＭＮ  ＩＤ又はホームネットワーク識別子）を含むＮＦ検出要求を送信する。ＵＥのホームネットワークは、例えば、登録手順からＡＭＦ８０５で既に認識されている場合がある。あるいは、ＵＥ８０３は、ＰＤＵセッション確立要求を介してホームネットワークのＡＭＦ８０５に通知してもよい、すなわち、ＰＤＵセッション確立要求とともに（例えば、含まれる）ホームネットワークの指示を送信してもよい。
【００６４】
８１４では、ＮＲＦは、Ｓ−ＮＳＳＡＩ、ＤＮＮ及びＵＥのホームネットワークの識別（例えば、ＵＥのホームネットワークＰＬＭＮ  ＩＤ）の組み合わせに基づいてＳＭＦを検出し、ＮＲＦ８０６はＳＭＦの詳細を含むＮＦ検出応答で応答する。
【００６５】
８１５では、ＡＭＦ８０５はＳＭＦ８０７にＳＭコンテキストを作成する要求を送信する。
【００６６】
８１６では、ＳＭＦ８０７はＡＭＦ８０５に応答し、ＡＭＦ８０５は８１７においてＵＥ８０３にＰＤＵセッション受け入れメッセージを送信する。
【００６７】
８１３と同様に、ＳＭＦはＮＲＦ８０６を介して検出を実行してもよい。
上記のアプローチは、５Ｇネットワーク以外の通信ネットワークの場合、ネットワークコンポーネントの選択（又はスライスの選択、すなわち、一般的な専用ネットワークの一部の選択）にも使用されてもよい。
【００６８】
例えば、Ｅｖｏｌｖｅｄ  Ｐａｃｋｅｔ  Ｃｏｒｅ（ＥＰＣ）ネットワークの場合には、ＭＭＥ選択のため、ＤＣＮ（専用コアネットワーク）選択機能がアシストされるＵＥがサポートされ、ＤＣＮ−ＩＤがＵＥにより提供される場合、ＤＣＮ−ＩＤは、サービングＭＭＥが利用できないときに同じＤＣＮを維持するためのＭＭＥ選択のためにｅＮｏｄｅＢにおいて用いられる。
【００６９】
例えば、オペレータのローミングパートナーは、オペレータのローミングＵＥのための専用コアネットワーク（すなわち、オペレータとの契約を有するＵＥ、すなわち、オペレータのネットワークがホームネットワークであるＵＥ）を有する通信ネットワークを運営する。例えば、専用のＭＭＥ、専用のＳｅｒｖｉｎｇ  Ｇａｔｅｗａｙ（ＳＧＷ）及び専用のＰａｃｋｅｔ  Ｄａｔａ  Ｎｅｔｗｏｒｋ  Ｇａｔｅｗａｙ（ＰＧＷ）。
【００７０】
ローミングＵＥの初期接続中に、ローミングＵＥは通信ネットワークのＲＡＮに以下の値を提供する。
−  ＤＣＮ−ＩＤ
−  （ホームネットワークの）オペレータを識別するための識別子（例えば、ホームネットワークのＰＬＭＮ  ＩＤ）。
【００７１】
ＲＡＮは、ローミングパートナーを識別するための識別子又はローミングパートナーを識別するための識別子とＤＣＮ−ＩＤとの組み合わせを用いてＤＣＮのＭＭＥを選択する。
【００７２】
ＲＡＮがＵＥをデフォルトのＭＭＥに発送する場合、このＭＭＥは、ローミングパートナーを識別するための識別子又はローミングパートナーを識別するための識別子とＤＣＮ−ＩＤとの組み合わせを用いる専用ＭＭＥ及びＵＥ使用タイプを選択する。
【００７３】
要約すると、様々な実施形態によれば、図９に示すようにネットワークコンポーネントが提供される。
【００７４】
図９は、通信ネットワークのコンポーネント９００を示す。
ネットワークコンポーネント９００は、通信端末から、登録要求及び／又はセッション確立要求と、通信端末のホームネットワークの指示と、を受信するように構成される受信部９０１を含む。
【００７５】
ネットワークコンポーネント９００は、通信端末のホームネットワークに基づいて、通信端末が接続するための通信ネットワークのコアネットワークコンポーネントを決定するように構成される決定部９０２をさらに含む。
【００７６】
さらに、ネットワークコンポーネント９００は、決定したコアネットワークコンポーネントに基づいて、通信ネットワークにおける通信端末の登録及び／又は通信端末のセッションの確立を開始するように構成されるコントローラ９０３を含む。
【００７７】
様々な実施形態によれば、言い換えると、通信端末(例えば、ユーザ装置  ＵＥ)は、接続先ネットワークに登録及び／又は接続先ネットワークとのセッションを確立する場合、通信端末のホームネットワークを示す。接続先ネットワークは、通信端末が接続するコアネットワークコンポーネント（例えば、専用ネットワークスライス）を決定し、例えば、決定したコアネットワークコンポーネントを用いて、通信端末の登録及び／又は通信ネットワークにおけるセッション確立を開始する。接続先ネットワークは、通信端末のホームネットワーク（例えば、決定部９０２が通信端末のホームネットワークの指示から決定し得る）と、ＮＳＳＡＩなどの通信端末によって示される１以上のさらなるパラメータと、に基づいてコアネットワークコンポーネントを決定する。通信端末の登録及び／又は決定したコアネットワークコンポーネントに基づくセッション確立は、例えば、決定したコアネットワークコンポーネントが通信端末に接続するために割り当てられることを含み得る。
【００７８】
登録要求の場合、ネットワークコンポーネント９００は、基地局のような無線アクセスネットワークコンポーネントであってもよい。
【００７９】
セッション確立要求の場合、ネットワークコンポーネント９００は、アクセス及びｍｏｂｉｌｉｔｙ  ｍａｎａｇｅｍｅｎｔ  ｆｕｎｃｔｉｏｎ（ＡＭＦ）、ｓｅｓｓｉｏｎ  ｍａｎａｇｅｍｅｎｔ  ｆｕｎｃｔｉｏｎ  （ＳＭＦ）、ｎｅｔｗｏｒｋ  ｓｌｉｃｅ  ｓｅｌｅｃｔｉｏｎ  ｆｕｎｃｔｉｏｎ  （ＮＳＳＦ）又はｍｏｂｉｌｉｔｙ  ｍａｎａｇｅｍｅｎｔ  ｅｎｔｉｔｙ  （ＭＭＥ）などの通信ネットワークのコアネットワークコンポーネントであってもよい。
【００８０】
セッション確立要求は、例えば、ｐｒｏｔｏｃｏｌ  ｄａｔａ  ｕｎｉｔ（ＰＤＵ）セッション確立要求である。したがって、セッションの確立は、通信端末のためのＰＤＵセッションの確立であってもよい。
【００８１】
通信端末は、登録要求と（後の）セッション確立要求との両方を用いて、ホームネットワークの指示を送信してもよい。あるいは、通信端末がネットワーク側からのセッション確立要求を用いて指示を送信する必要はない（すなわち、通信ネットワークの１以上のコンポーネントはすでにホームネットワークの知識を持っているため）。この場合、通信端末は、登録要求と一緒にのみ（例えば、含まれる）指示を送信してもよい。
【００８２】
図９のアプローチは、例えば、インバウンドローミングＵＥ又は特定のＰＬＭＮに属するＵＥに専用のネットワークスライスにローミングＵＥをリダイレクトするための５Ｇシステムを許可してもよい。しかし、通信ネットワークは、無線アクセスネットワーク及びコアネットワーク（例えば、ＬＴＥ、ＷｉＦｉなど）を提供する他の通信規格によって構成されてもよい。
様々な実施形態によれば、図１０に示すような方法が実行される。
【００８３】
図１０は、通信ネットワークによって通信端末が接続する方法を示すフロー図１０００を示す。
１００１では、登録要求及び／又はＰＤＵセッション要求、並びに通信端末のホームネットワークの指示が通信端末から受信される。
【００８４】
１００２では、通信端末が接続するための通信ネットワークのコアネットワークコンポーネントが、通信端末のホームネットワークに基づいて決定される。
【００８５】
１００３では、決定したコアネットワークコンポーネントに基づいて、通信ネットワークにおける通信端末の登録及び／又は通信端末のためのセッションの確立が開始される。
【００８６】
ネットワークコンポーネントは、例えば、図１１に示すように、通信端末から登録要求及び／又はセッション確立要求を受信する。
【００８７】
図１１は、通信端末１１００を示す。
通信端末１１００は、通信端末のホームネットワークの識別を決定するように構成される決定部１１０１を含む。
【００８８】
通信端末１１００は、接続先通信ネットワークに、通信端末のホームネットワークの指示とともに登録要求及び／又はセッション確立要求を送信するように構成される送信部１１０２をさらに含む。
通信端末１１００は、例えば、図１２に示されるような方法を実行する。
【００８９】
図１２は、通信ネットワークを用いる方法を示すフロー図１２００を示す。
１２０１では、通信端末のホームネットワークの識別が決定される。
【００９０】
１２０２では、通信端末のホームネットワークの指示とともに登録要求及び／又はセッション確立要求が接続先通信ネットワークに送信される。
様々な実施例を以下で説明する。
【００９１】
実施例１は、図９に示すような通信ネットワークのネットワークコンポーネントである。
【００９２】
実施例２は、実施例１のネットワークコンポーネントであり、通信端末のホームネットワークに基づいて通信端末が接続するコアネットワークコンポーネントを決定することは、通信ネットワークのコアネットワークのコアネットワークスライスを決定することを含む。
【００９３】
実施例３は、実施例２のネットワークコンポーネントであり、決定部は、決定したコアネットワークスライスのコアネットワークコンポーネントをコアネットワークコンポーネントとして決定するように構成される。
【００９４】
実施例４は、実施例１から３のいずれか１つのネットワークコンポーネントであり、決定したコアネットワークコンポーネントに基づいて通信端末に対する通信ネットワークにおける通信端末の登録及び／又はセッションの確立の開始は、決定したコアネットワークコンポーネントに登録要求及び／又はセッション確立要求を転送することを含む。
【００９５】
実施例５は、実施例１から４のいずれか１つのネットワークコンポーネントであり、コアネットワークコンポーネントは、アクセス及びモビリティ管理部、又はセッション管理部又はユーザプレーン部である。
【００９６】
実施例６は、実施例１から５のいずれか１つのネットワークコンポーネントであり、通信ネットワークの無線アクセスネットワークコンポーネント又はコアネットワークコンポーネントである。
【００９７】
実施例７は、実施例１から６のいずれか１つのネットワークコンポーネントであり、通信端末のホームネットワークに基づいて通信端末が接続するコアネットワークコンポーネントを決定することは、通信端末がローミング端末であるかどうかを決定し、通信端末がローミング端末であるかどうかに基づいて、通信端末が接続するためのコアネットワークコンポーネントを決定することを含む。
【００９８】
実施例８は、実施例７のネットワークコンポーネントであり、決定部は、通信端末がローミング通信端末である場合に、ローミング通信端末が接続する専用の通信ネットワークのコアネットワークスライスのコアネットワークコンポーネントを、コアネットワークコンポーネントとして決定するように構成される。
【００９９】
実施例９は、実施例１から８のいずれか１つのネットワークコンポーネントであり、決定部は、通信端末のホームネットワークの通信端末が接続する専用のコアネットワークスライスのコアネットワークコンポーネントを、コアネットワークコンポーネントとして決定するように構成される。
【０１００】
実施例１０は、実施例１から９のいずれか１つのネットワークコンポーネントであり、通信端末が接続するコアネットワークスライスの指示を含む登録応答及び／又はセッション確立応答を、通信端末に送信するように構成された送信部を有し、決定したコアネットワークコンポーネントはコアネットワークスライスに属する。
【０１０１】
実施例１１は、実施例１から１０のいずれか１つのネットワークコンポーネントであり、受信部は、通信端末が属する企業の指示を受信するようにさらに構成され、決定部は、通信端末が属する企業に基づいて、コアネットワークコンポーネントを決定するように構成される。
【０１０２】
実施例１２は、実施例１１のネットワークコンポーネントであり、決定部は、コアネットワークコンポーネントとして、通信端末が属する企業の通信端末が接続する専用のコアネットワークスライスのコアネットワークコンポーネントを決定するように構成される。
【０１０３】
実施例１３は、実施例１から１２のいずれか１つのネットワークコンポーネントであり、受信部は、通信端末のホームネットワークの通信端末に提供するための１以上の専用のコアネットワークコンポーネントに関する情報を通信ネットワークのコアネットワークから受信するように構成され、決定部は、情報に基づいてコアネットワークコンポーネントを決定するように構成される。
【０１０４】
実施例１４は、実施例１３のネットワークコンポーネントであり、情報は、通信端末のホームネットワークの通信端末に提供するための１以上の専用のコアネットワークスライスに関連する１以上のコアネットワークコンポーネントの指示を含む。
【０１０５】
実施例１５は、実施例１から１４のいずれか１つのネットワークコンポーネントであり、受信部は、登録要求メッセージ及び／又はセッション確立要求メッセージを受信するように構成され、登録要求メッセージ及び／又はセッション確立要求メッセージは、通信端末からの通信端末のホームネットワークの指示を含む。
【０１０６】
実施例１６は、実施例１から１５のいずれか１つのネットワークコンポーネントであり、決定部は、通信端末のホームネットワーク及び通信端末が示す１以上の他パラメータに基づいて、通信端末が接続するための通信ネットワークのコアネットワークコンポーネントを決定するように構成される。
【０１０７】
実施例１７は、図１０に示す通信ネットワークによって通信端末が接続する方法である。
【０１０８】
実施例１８は、実施例１７の方法であり、通信端末のホームネットワークに基づいて通信端末が接続するコアネットワークコンポーネントを決定することは、通信ネットワークのコアネットワークのコアネットワークスライスを決定することを含む。
【０１０９】
実施例１９は、決定したコアネットワークスライスのコアネットワークコンポーネントをコアネットワークコンポーネントとして決定することを含む、実施例１８の方法である。
【０１１０】
実施例２０は、実施例１７から１９のいずれか１つの方法であり、決定したコアネットワークコンポーネントに基づいて、通信ネットワークにおける通信端末の登録及び／又は通信端末のセッションの確立を開始することは、決定したコアネットワークコンポーネントへの登録要求及び／又はセッション確立要求を転送することを含む。
【０１１１】
実施例２１は、実施例１７から２０のいずれか１つの方法であり、コアネットワークコンポーネントは、アクセス及びモビリティ管理部、セッション管理部、又はユーザプレーン部である。
【０１１２】
実施例２２は、実施例１７から２１のいずれか１つの方法であり、通信ネットワークの無線アクセスネットワークコンポーネント又はコアネットワークコンポーネントによって実行される。
【０１１３】
実施例２３は、実施例１７から２２のいずれか１つの方法であり、通信端末のホームネットワークに基づいて、通信端末が接続するコアネットワークコンポーネントを決定することは、通信端末がローミング端末であるかどうかを決定し、通信端末がローミング端末であるかどうかに基づいて、通信端末が接続するコアネットワークコンポーネントを決定することを含む。
【０１１４】
実施例２４は、実施例２３の方法であり、通信端末がローミング通信端末である場合、コアネットワークコンポーネントとして、ローミング通信端末が接続する専用の通信ネットワークのコアネットワークスライスのコアネットワークコンポーネントを決定することを含む。
【０１１５】
実施例２５は、実施例１７から実施例２４のいずれか１つの方法であり、通信端末のホームネットワークの通信端末が接続する専用のコアネットワークスライスのコアネットワークコンポーネントを、コアネットワークコンポーネントとして決定することを含む。
【０１１６】
実施例２６は、実施例１７から２５のいずれか１つの方法であり、通信端末に提供するコアネットワークスライスの指示を含む登録応答及び／又はセッション確立応答を通信端末に送信することを含み、決定したコアネットワークコンポーネントはコアネットワークスライスに属する。
【０１１７】
実施例２７は、実施例１７から２６のいずれか１つの方法であり、通信端末が属する企業の指示を受信し、通信端末が属する企業に基づいて、コアネットワークコンポーネントを決定することを含む。
【０１１８】
実施例２８は、実施例２７の方法であり、通信端末が属する企業の通信端末が接続する専用のコアネットワークスライスのコアネットワークコンポーネントを、コアネットワークコンポーネントとして決定することを含む。
【０１１９】
実施例２９は、実施例１７から実施例２８のいずれか１つの方法であり、通信端末のホームネットワークの通信端末に提供するための１以上の専用のコアネットワークコンポーネントに関する通信ネットワークのコアネットワークから情報を受信し、情報に基づいてコアネットワークのコンポーネントを決定することを含む。
【０１２０】
実施例３０は、実施例２９の方法であり、情報は、通信端末のホームネットワークの通信端末に提供するための１以上の専用のコアネットワークスライスに関連する１以上のコアネットワークコンポーネントの指示を含む。
【０１２１】
実施例３１は、実施例１７から３０のいずれか１つの方法であり、登録要求メッセージ及び／又はセッション確立要求メッセージを受信することを含み、登録要求メッセージ及び／又はセッション確立要求メッセージは、通信端末からの通信端末のホームネットワークの指示を含む。
【０１２２】
実施例３２は、実施例１７から３１のいずれか１つの方法であり、通信端末のホームネットワーク及び通信により示される１以上の他のパラメータに基づいて、通信端末が接続する通信ネットワークのコアネットワークコンポーネントを決定することを含む。
【０１２３】
実施例３３は、図１１に示す通信端末である。
【０１２４】
実施例３４は、実施例３３の通信端末であり、登録要求メッセージ及び／又はセッション確立要求メッセージは、通信端末からの通信端末のホームネットワークの指示を含む。
【０１２５】
実施例３５は、実施例３３又は３４の通信端末であり、通信端末に提供するためのコアネットワークスライスの指示を含む、接続先応答通信ネットワークから登録応答及び／又はセッション確立応答を受信するように構成される受信部を備える。
【０１２６】
実施例３６は、図１２に示す通信ネットワークを用いる方法である。
【０１２７】
実施例３７は、実施例３６の方法であり、登録要求メッセージ及び／又はセッション確立要求メッセージは、通信端末のホームネットワークの指示を含む。
【０１２８】
実施例３８は、実施例３６又は３７の方法であり、通信端末に提供するためのコアネットワークスライスの指示を含む、接続先通信ネットワークからの登録応答及び／又はセッション立応答を受信することを含む。
【０１２９】
さらなる実施例によれば、移動無線端末装置を移動無線通信ネットワークのネットワークスライスインスタンスに関連付ける方法が提供され、この方法は、
−  移動無線端末装置から移動無線通信ネットワークでの登録の要求及び／又はセッション確立の要求を受信し、
−  移動無線通信ネットワークにより、移動無線端末装置がインバウンドローマーＵＥか非ローミングＵＥかを決定し、
−  移動無線端末装置が、インバウンドローマーＵＥか非ローミングＵＥかどうかという情報に基づいて、ネットワークスライスインスタンスを選択し、
−  移動無線端末装置によって送信された要求を、選択したネットワークスライスインスタンスに転送することを含む。
【０１３０】
移動無線通信ネットワークは、移動無線アクセスネットワーク及び移動コアネットワークを含んでもよい。移動コアネットワークには、例えば、アクセス及びモビリティ管理部（ＡＭＦ）、セッション管理部（ＳＭＦ）、ネットワークスライス選択部（ＮＳＳＦ）などのいくつかのネットワーク部が含まれる。
【０１３１】
移動コアネットワークには、各インスタンスが、移動コアネットワーク部の完全なセット又は移動コアネットワーク部のサブセットを有する、いくつかのネットワークスライスインスタンスが含まれてもよい。
【０１３２】
移動コアネットワークは、移動コアネットワークのネットワーク部がインバウンドローマーＵＥ又は非ローミングＵＥをサポートするかどうかによって、その設定に関する情報を移動無線アクセスネットワークと交換してもよい。
【０１３３】
移動無線端末装置がインバウンドローマーＵＥ又は非ローミングＵＥであるかの決定は、例えば、移動無線端末装置のホームネットワークのＰＬＭＮ  ＩＤを考慮することにより実行できる。
【０１３４】
上記の実施例のいずれかの特徴の１つ又は複数を、他の実施例のいずれか１つと組み合わせてもよい。
【０１３５】
ネットワークコンポーネント及び通信端末のコンポーネント（例えば、受信部、決定部、制御部及び送信部）は、例えば、１以上の回路により実装されてもよい。「回路」は、特定の目的の回路又はメモリ、ファームウェア、又はそれらの任意の組み合わせに格納されるソフトウェアを実行するプロセッサである、あらゆる種類の論理実装エンティティとして理解され得る。したがって、「回路」は、ハードワイヤード論理回路又はプログラム可能なプロセッサなどのプログラム可能な論理回路、例えば、マイクロプロセッサであってもよい。「回路」は、例えば、あらゆる種類のコンピュータープログラムである、ソフトウェアを実行するプロセッサでもあり得る。上記のそれぞれの部のその他の種類の実装は、「回路」として理解されてもよい。
【０１３６】
特定の態様について説明したが、添付の特許請求の範囲によって定義される本開示の態様の精神および範囲から逸脱することなく、実施形態及び詳細の様々な変更を行ってもよいことを当業者は理解すべきである。したがって、範囲は添付の特許請求の範囲によって示され、特許請求の範囲と同等の意味及び範囲内にある全ての変更が含まれることが意図されている。
【図１】
2021508418.tif 000003
【図２】
2021508418.tif 000004
【図３】
2021508418.tif 000005
【図４】
2021508418.tif 000006
【図５】
2021508418.tif 000007
【図６】
2021508418.tif 000008
【図７】
2021508418.tif 000009
【図８】
2021508418.tif 000010
【図９】
2021508418.tif 000011
【図１０】
2021508418.tif 000012
【図１１】
2021508418.tif 000013
【図１２】
2021508418.tif 000014
【国際調査報告】
2021508418.tif 000015
2021508418.tif 000016
2021508418.tif 000017